(57)【特許請求の範囲】
【請求項１】
吸引用の経路及び送風用の経路が形成され、前記吸引及び送風用の経路とそれぞれ連絡する外気取入口を有する羽根車を収容し、分割形成されたケーシング本体と、
前記分割形成されたケーシング本体の合わせ目を囲む外ケーシング体と、を具備し、
前記外ケーシング体は外気を取り込むための外気取入孔を有しており、前記ケーシング本体と外ケーシング体の間には、一端が前記外気取入口と連絡し、他端が前記外気取入孔と連絡する通風路が形成され、前記羽根車の回転による負圧によって外気が前記外気取入孔から通風路へ取り込まれるとともに、前記外気取入口を介して前記吸引又は送風用の経路に前記外気が流入することを特徴とする吸引・送風装置。
【請求項２】
請求項１に記載の吸引・送風装置において、外ケーシング体をケーシング本体と共に分割形成したことを特徴とする吸引・送風装置。
【発明の詳細な説明】
【０００１】
【発明の属する技術分野】
本発明は、粉塵の漏れ出しを防止することができる吸引・送風装置に関する。
【０００２】
【従来の技術】
吸引・送風装置は空気を圧送する羽根車を分割されたケーシング本体で囲うように構成されるが、従来このケーシング本体の合わせ目の隙間から粉塵がケーシング外に漏れ出ないように、ゴム等で形成されたシール部材をケーシングの合わせ目で挟み込むようにしている。通常の場合、合わせ目に溝を形成し、この溝内にシール部材を押し込むようにしている。
【０００３】
【発明が解決しようとする課題】
ケーシングの合わせ目をシール部材で塞ぐことは、部品点数、組立工程の増加を招き、コストアップを来たすという問題がある。ことに、ケーシングの合わせ目に沿ってシール部材を配置する作業は面倒であり、組み立て効率の低下を来たすという問題がある。
【０００４】
本発明はこのような従来の問題点を解決することを目的とする。
【０００５】
【課題を解決するための手段】
上記課題を解決するため、請求項１に係る発明は、吸引用の経路及び送風用の経路が形成され、前記吸引及び送風用の経路とそれぞれ連絡する外気取入口を有する羽根車を収容し、分割形成されたケーシング本体と、前記分割形成されたケーシング本体の合わせ目を囲む外ケーシング体と、を具備し、前記外ケーシング体は外気を取り込むための外気取入孔を有しており、前記ケーシング本体と外ケーシング体の間には、一端が前記外気取入口と連絡し、他端が前記外気取入孔と連絡する通風路が形成され、前記羽根車の回転による負圧によって外気が前記外気取入孔から通風路へ取り込まれるとともに、前記外気取入口を介して前記吸引又は送風用の経路に前記外気が流入することを特徴とする。
【０００６】
また、請求項２に係る発明は、請求項１に記載の吸引・送風装置において、外ケーシング体（２３ａ，２３ｂ）をケーシング本体（６ａ，６ｂ）と共に分割形成した吸引・送風装置を採用する。
【０００７】
【発明の実施の形態】
次に、本発明の実施の形態について図面を参照して説明する。
【０００８】
図１乃至図４に示すように、この吸引・送風装置は、送風機１と、送風機１を駆動するモータ２と、ノズル部３と、集塵部４とを具備する。
【０００９】
送風機１は、横置きされる羽根車５と、この羽根車５を覆うケーシング本体６とを備える。
【００１０】
ケーシング本体６は、垂直面上で二分割された半割り部分６ａ，６ｂが重ね合わされ、止めネジ７により止められることにより組み立てられる。図５及び図６に示すように、ケーシング本体６内には、羽根車５の中央部側面に対向するように配置される外気取入口８と、外気取入口８へと外気を案内する外気導入路９と、羽根車５により圧送される気流を案内する外気導出路１０とが形成される。外気導出路１０は、図７及び図８に示すように、ケーシング本体６内において羽根車５の外周を環状に取り巻いている。外気導入路９と外気導出路１０は、図５及び図６に示すように、ケーシング本体６の前部から上下二段の管路となって突出する。図２及び図５に示すように、外気取入口８、外気導入路９等は外カバー１１により覆われるようになっており、外カバー１１はケーシング本体６に他の止めネジ１２により固定される。図５において、符号１２ａは止めネジ１２が螺合するネジ孔を示す。
【００１１】
モータ２は、図１及び図４に示すように、モータハウジング１３により覆われた状態で送風機１のケーシング本体６の側面に取り付けられる。また、モータシャフト２ａが羽根車５に動力的に連結される。モータハウジング１３はケーシング本体６に着脱自在に固定される。
【００１２】
集塵部４は、図２及び図７に示すように、上記ケーシング本体６の上下二段の管路から更に前方に突出する延長管１４として形成される。この延長管１４の上下部に外気取入口１５と外気排出口１６がそれぞれ形成される。外気排出口１６には集塵バッグ１７が着脱自在に連結される。
【００１３】
ノズル部３は、図７及び図８に示すように、ノズル筒１８と、ノズル筒１８に連結される切替弁１９とを備える。ノズル筒１８は先細状の円筒体として形成される。切替弁１９は、ノズル筒１８の後部に連結される円筒体１９ａを備える。円筒体１９ａはノズル筒１８と一体化され、上記ケーシング本体６の延長管１４内に回動可能に挿入される。円筒体１９ａと延長管１４との摺接面には、両者の分離を防止するための環状凹凸部と両者間を遮断するためのＯリングとからなる密封手段２０が設けられる。円筒体１９ａの側面には、通風孔２１が穿設され、円筒体１９ａの内部には、通風孔２１を上記ケーシング本体６の外気導入路９又は外気導出路１０に選択的に連通させるための隔壁２２が設けられる。
【００１４】
ノズル部３をその軸芯上で一方向に捩じると、図７に示すように、切替弁１９の円筒体１９ａが外気取入口１５を遮断し、切替弁１９の通風孔２１が外気排出口１６に連通する。これにより、羽根車５が回転するとその負圧により矢印Ａで示すように外気がノズル部３の先端からノズル筒１８内に吸い込まれ、切替弁１９内を通って外気導入路９に流入し、外気取入口８から羽根車５内に入る。羽根車５は外気取入口８から流入する外気を外気導出路１０へと圧送し、この外気は切替弁１９の通風孔２１を通って集塵部４の外気排出口１６から集塵バッグ１７内に流入する。その結果、外気に含まれる粉塵は集塵バッグ１７内に捕捉される。
【００１５】
また、ノズル部３をその軸芯上で他方向に捩じると、図８に示すように、切替弁１９の通風孔２１が外気取入口１５に連通し、切替弁１９の円筒体１９ａが外気排出口１６を遮断する。これにより、羽根車５が回転するとその負圧により矢印Ｂで示すように外気が外気取入口１５及び通風孔２１から切替弁１９を通って外気導入路９に流入し、外気取入口８から羽根車５内に入る。羽根車５は外気取入口８から流入する外気を外気導出路１０へと圧送し、この外気は切替弁１９内を通過してノズル部３のノズル筒１８の先端から噴出する。その結果、空気の噴流によって、切り屑等が吹き飛ばされる。
【００１６】
この吸引・送風装置が駆動すると、外気がケーシング本体６内の外気導出路１０を高速で流れるが、その際外気が粉塵を伴ってケーシング本体６の合わせ目の隙間から漏れ出る場合がある。この粉塵の漏れ出しを防止するため、この吸引・送風装置は、図５、図７及び図８に示すように、ケーシング本体６の合わせ目を外ケーシング体２３によって囲み、羽根車５の回転による負圧で外気を外ケーシング体２３の通風路２４内に導入するようにしている。
【００１７】
より具体的には、外ケーシング体２３がケーシング本体６と共に半割り部分２３ａ，２３ｂに分割形成され、ケーシング本体６の組み立てと同時に組み立てられる。ケーシングの組み立てのための止めネジ７は外ケーシング体２３の箇所に通されるようになっており、止めネジ７の螺合するネジ孔７ａが外ケーシング体２３の片方の半割り部分２３ｂに形成される。
【００１８】
外ケーシング体２３はケーシング本体６の外周部を囲むように湾曲して伸び、この外ケーシング体２３内の通風路２４もケーシング本体６内の外気導出路１０を外側から取り囲むように湾曲して伸びる。外ケーシング体２３が集塵部４に臨む箇所すなわち外気導出路１０の上流側に対応する箇所には外気を通風路２４内に導入する外気取入孔２５が穿設される。また、外ケーシング体２３の通風路２４は上記ケーシング本体６の合わせ目を取り巻いた後、図５に示すように、ケーシング本体６内に導通する。ケーシング本体６の半割り部分６ａ内には、上記外気導入路９と並行するように吸込み路２６が形成される。この吸込み路２６の一端に通風路２４の一端が導通し、吸込み路２６の他端が羽根車５の外気取入口８に導通する。これにより、羽根車５の回転で生じる負圧により矢印Ｃで示すように、外気が外気取入孔２５から通風路２４内に取り込まれ、この外気が通風路２４内を流れて吸込み路２６から羽根車５の外気取入口８に流入する。この羽根車５内に流入した外気は外気導出路１０へと流出し、他の外気と合流する。このように、ケーシング本体６の合わせ目の外側を舐めるように通風路２４内を外気が矢印Ｃ方向に流れるので、合わせ目から漏れ出る粉塵がこの外気の流れに乗って羽根車５内へと搬送され、従って粉塵のケーシング外への漏れ出しが防止される。
【００１９】
次に、上記構成の吸引・送風装置の作用について説明する。
【００２０】
吸引・送風装置により吸引を行う場合は、ノズル部３をその軸芯上で一方向に捩じって図７に示すようにセットする。
【００２１】
これにより、切替弁１９の円筒体１９ａが外気取入口１５を遮断し、切替弁１９の通風孔２１が外気排出口１６に連通する。
【００２２】
モータ２の起動により、羽根車５が回転すると、負圧により外気が矢印Ａ方向にノズル部３の先端からノズル筒１８内に吸い込まれ、切替弁１９内を通って外気導入路９に流入し、外気取入口８から羽根車５内に入る。羽根車５は外気取入口８から流入する外気を外気導出路１０へと圧送し、この外気は切替弁１９の通風孔２１を通って集塵部４の外気排出口１６から集塵バッグ１７内に流入する。外気は集塵バッグ１７を透過し、外気に含まれる粉塵が集塵バッグ１７内に捕捉される。
【００２３】
また、ノズル部３からの吸引中、羽根車５の回転による負圧で外気が矢印Ｃ方向に外気取入孔２５から外ケーシング体２３の通風路２４内に取り込まれる。この外気は通風路２４内を流れて吸込み路２６から羽根車５の外気取入口８に流入する。この羽根車５内に流入した外気は外気導出路１０へと流出し、他の外気と合流して集塵バッグ１７へと向かう。
【００２４】
このように、ケーシング本体６の合わせ目の外側を舐めるように通風路２４内を外気が流れるので、合わせ目から漏れ出る粉塵がこの外気の流れに乗って羽根車５内へと搬送される。従って、ノズル部３から吸い込まれた外気に含まれる粉塵の送風機１のケーシング外への漏れ出しが防止される。
【００２５】
吸引・送風装置により送風を行う場合は、ノズル部３をその軸芯上で他方向に捩じって図８に示すようにセットする。
【００２６】
これにより、切替弁１９の通風孔２１が外気取入口１５に連通し、切替弁１９の円筒体１９ａが外気排出口１６を遮断する。
【００２７】
モータ２の起動により、羽根車５が回転するとその負圧により外気が矢印Ｂ方向に外気取入口１５及び通風孔２１から切替弁１９を通って外気導入路９に流入し、外気取入口８から羽根車５内に入る。羽根車５は外気取入口１５から流入する外気を外気導出路１０へと圧送し、この外気は切替弁１９内を通過してノズル部３のノズル筒１８の先端から噴出する。その結果、空気の噴流によって、切り屑等が吹き飛ばされる。
【００２８】
また、送風中においても、羽根車５の回転による負圧で外気が外気取入孔２５から矢印Ｃ方向に外ケーシング体２３の通風路２４内に取り込まれる。この外気は通風路２４内を流れて吸込み路２６から羽根車５の外気取入口８に流入する。そして、この外気がケーシング本体６の合わせ目の外側を舐めるように通風路２４内を流れ、合わせ目から漏れ出る粉塵が存在する場合はこの粉塵を羽根車５内へと搬送する。従って、送風機１の外気導出路１０内を流れる外気に含まれる粉塵が送風機１のケーシング外へ漏れ出さないようにすることができる。
【００２９】
【発明の効果】
請求項１に係る発明によれば、羽根車を囲む分割されたケーシング本体の合わせ目を外ケーシング体によって囲み、羽根車の回転による負圧で外気を外ケーシング体内の通風路内に導入するようにした吸引・送風装置であるから、ケーシング本体の合わせ目から漏れ出る粉塵が外ケーシング体内を流れる空気流によって羽根車へと運搬される。従って、ケーシング本体の合わせ目をシール部材で塞がなくとも、ケーシング外への粉塵の漏れ出しを効果的に防止することができる。また、ケーシング本体の合わせ目をシール部材で塞ぐ必要がないので、部品点数、組立工程を低減し、組み立て作業の効率化を図ることができる。
【００３０】
請求項２に係る発明によれば、請求項１に記載の吸引・送風装置において、外ケーシング体をケーシング本体と共に分割形成した吸引・送風装置であるから、ケーシング本体を組み立てると同時に外ケーシング体を組み立てることができる。
【図面の簡単な説明】
【図１】本発明に係る吸引・送風装置の平面図である。
【図２】図１に示す吸引・送風装置の正面図である。
【図３】図１に示す吸引・送風装置の左側面図である。
【図４】図１に示す吸引・送風装置の右側面図である。
【図５】図１に示す吸引・送風装置の外カバーを外して示す正面図である。
【図６】図５中、ＶＩ−ＶＩ線矢視断面図である。
【図７】図１に示す吸引・送風装置の吸引状態における垂直断面図である。
【図８】図１に示す吸引・送風装置の送風状態における垂直断面図である。
【符号の説明】
５…羽根車
６…ケーシング本体
６ａ，６ｂ…ケーシング本体の半割り部分
２３…外ケーシング体
２３ａ，２３ｂ…外ケーシング体の半割り部分
２４…通風路
【図１】
0004130083.tif 000002
【図２】
0004130083.tif 000003
【図３】
0004130083.tif 000004
【図４】
0004130083.tif 000005
【図５】
0004130083.tif 000006
【図６】
0004130083.tif 000007
【図７】
0004130083.tif 000008
【図８】
0004130083.tif 000009